(57)【要約】【課題】  撮影画像表示部の同一面上に撮影情報や設定情報を表示する構成において、撮影画像の確認を妨げにくい情報出力形態を提供する。  又、撮影画像表示部の同一面上に設定時選択メニューを表示し、その選択された設定が設定終了後表示情報が得られなくなる表示項目について、簡単な操作で撮影画像確認を妨げない形で情報を出力する方法を提供する。【解決手段】  初期設定として、撮影画像表示部の同一画面上に表示される撮影設定情報表示を、各項目毎に選択的にヘッドホンから情報出力する形態に切替る手段と、切替えられた撮影設定情報表示を消す手段を備える。【選択図】  図３
2008085814.tif 000002
【特許請求の範囲】
【請求項１】
撮影画像とその同一画面上に装置の設定情報を表示する表示手段と、音声信号を出力する音声出力手段と、設定情報を音声で出力する場合の音源データ保持手段と、撮影者が音声信号での情報出力を希望する場合予めその設定を行う音声情報出力選択設定手段と、音声情報出力モードに撮影者の意思で移行させる音声情報出力モード移行手段を持つことを特徴とするビデオカメラ装置。
【請求項２】
撮影画像とその同一画面上に装置の複数項目の設定情報を初期設定時は定常的に重ねて表示する表示手段と、音声信号として前記複数項目の設定情報に対応した情報出力を行う音声情報出力手段と、撮影者の希望で複数項目の設定情報を各項目毎に表示手段、音声情報出力手段どちらから出力するのかを予め設定選択する情報出力先選択設定手段と、音声情報出力モードに撮影者の意思で移行させる音声情報出力モード移行手段をもつことを特徴とする請求項１記載のビデオカメラ装置。
【請求項３】
撮影画像とその同一画面上に装置の複数項目の設定情報を設定変更時のみ表示して設定完了後は表示を行わない表示手段と、音声信号として前記複数項目の設定情報に対応した情報出力を行う音声情報出力手段と、撮影者の希望で複数項目の設定情報を各項目毎に音声出力可能とするかしないかを選択する音声情報出力選択設定手段と、音声情報出力モードに撮影者の意思で移行させる音声情報出力モード移行手段をもつことを特徴とする請求項１記載のビデオカメラ装置。
【請求項４】
前記音声出力手段はヘッドホンであることを特徴とする請求項１記載のビデオカメラ装置。
【発明の詳細な説明】
【技術分野】
【０００１】
本発明は撮影画像表示部の同一画面上に撮影設定情報を兼用表示するヘッドホン出力を備えた画像記録装置に関するものである。
【背景技術】
【０００２】
従来の画像記録装置には撮影画像表示部の同一画面上に撮影設定情報を兼用表示し、その撮影画像の確認を妨げにくいよう撮影設定情報表示を制御する手法を施したものがある。
（例えば特許文献１参照。）
以下、図１により従来の改善手法について説明する。
【０００３】
図１において１は光を取り込むところのレンズ、２は光を遮断するところのシャッタ、３は光を電気信号に変換するところのＣＣＤ、４はＣＣＤ出力からの電気画像信号を増幅するところのアンプ、５は４で増幅された電気画像信号をデジタル信号に変換するＡＤコンバータ、６は画像処理時に使用されるフレームメモリ、７は撮影画像と撮影情報を表示するところの液晶モニタ、８は画像信号を処理するところの画像処理回路、９は液晶モニタをドライブするところのＬＣＤドライバ、１０は露出を制御するところの露出制御回路、１１はレンズを駆動するところのレンズ駆動回路、１２はＣＣＤを駆動するところのＣＣＤ駆動回路、１３はシステム全体を制御するところのシステムコントロール回路、１４は露出を検出するところの露出検出器、１５は撮影情報を保存するところの撮影情報メモリ、１６は画像データを記録制御するところの記録制御回路、１７は画像データを記録するところのメモリーカード、１８は撮影のモード切替えをユーザーが行うところのモードダイヤルスイッチ、１９はシャッタボタンの操作状態を検出するところのレリーズ操作検出スイッチ、２０はレンズの焦点距離を撮影者が調整するところのズームスイッチ、２１は各種設定をユーザーが行うところの設定スイッチである。
【０００４】
尚、これまで説明してきた各部の中で、便箋上撮影画像表示と撮影情報表示の兼ね合いにおいて、撮影画像確認の妨げになりにくいよう改善する部分に関係しないところは割愛して簡略に以下動作説明する。
【０００５】
レリーズ検出スイッチ１９は、撮影者がシャッタボタンに触れていないか、触れているかを検出するスイッチである。
【０００６】
触れていないと判断した場合は、撮影情報を随時更新して保存しているシステムコントロール回路１３内の撮影情報メモリ１５中のデータは、システムコントロール回路１３の制御により表示系には反映させず、撮影画像は画像処理回路８、ＬＣＤドライバ９を経由して液晶モニタ７に撮影情報無しで表示される。
【０００７】
それに対して撮影者がシャッタボタンに触れたと判断した場合、システムコントロール回路１３は、撮影情報メモリ１５中の撮影情報を画像処理回路８とＬＣＤドライバ９を制御し、撮影画像に付加して撮影情報も合わせて表示させる。
【０００８】
これにより液晶モニタ７上に撮影画像に合わせて撮影情報を表示する構成であっても、構図決定までの間（レリーズ検出スイッチが撮影者の指を検出しない間）は撮影画像のみの表示とするため、撮影情報表示により撮影画像が蹴られる不利益を撮影者が被ることは無くなる。
【特許文献１】特開２００４−２５４３０２号公報（第８頁、図２）
【発明の開示】
【発明が解決しようとする課題】
【０００９】
しかしながら、前記事例には以下の不具合がある。
【００１０】
撮影構図決定までの間だけ撮影画像が蹴られなければ良い撮影者ばかりではなく、撮影画像を取り込む瞬間も撮影情報表示による蹴られを極力避けたいと要望する撮影者も少なからず存在する。
【００１１】
又、静止画に限った場合はこの対応でもそれなりの効果は得られるが、本事例を動画撮影するビデオカメラ装置に当てはめた場合、撮影時間は静止画と異なり長い時間軸を持つため同様の対応で改善を図ることは不可能である。
【００１２】
更に、ビデオカメラ装置において撮影者が確認を希望する撮影やそれに付随する情報が、表示装置の大きさ等の制約から煩雑になり撮影画像確認の妨げになるという判断から表示できない場合、それを確認するためには記録状態を一度解除して設定メニュー画面を開き、その内容を確認してから閉じるという操作が必要となる。確認したい項目が複数の場合はその操作を数回行った後記録動作に入れるという、非常に操作性の悪いものになりがちであった。
【００１３】
本出願に係る第一の発明の目的は、撮影者が希望する撮影やそれに付随する情報を表示装置上だけでなく、通常音声をモニターするヘッドホン出力へも振り分けできる対応を取り、その出力先を撮影者が選択できるようにすることで、撮影画像確認の妨げを極力さける表示設定を撮影者の好みでカスタマイズ可能にすると共に、表示系から外された情報もヘッドホンからの情報出力機能を働かせるスイッチを希望するタイミングに押すことで、表示項目を減らす前と同等の情報を得ることを可能とすることにある。
【００１４】
本出願に係る第二の発明は、表示装置上に元々表示されていない各種設定について撮影者が確認を希望する項目を予めプリセットしておくことで、確認の度に記録状態を解除し設定メニューを開かなくても、ヘッドホンからの情報出力機能を働かせるスイッチを希望するタイミングで押すことにより簡単に情報を得ることを可能とすることにある。
【課題を解決するための手段】
【００１５】
上記目的を達成するため本出願に係る第一の発明は表示部上に撮影画像と重ねて情報表示項目を表示する表示手段と、その情報表示項目を音声信号としてヘッドホンから出力するヘッドホン情報出力手段と、表示部/ヘッドホンどちらから情報出力するのかを選択する情報出力先選択手段と、ヘッドホンから情報出力する場合のヘッドホン情報出力音源データ保持手段と、ヘッドホンが接続されたかどうかを検出するヘッドホン接続検出手段と、ヘッドホンから情報出力するモードに移行させるヘッドホン情報出力モード移行手段と、ヘッドホンから情報出力するヘッドホン音声出力手段をもつことを特徴とする。
【００１６】
撮影画像に対して情報表示項目が多くて確認の妨げになるような場合、情報出力先選択により妨げになる表示項目を選択し、情報出力を表示部からヘッドホンに割り当てて、ヘッドホンが接続されていることを検出し、撮影者が情報確認を希望するためヘッドホン情報出力モードに移行させた場合、表示部上には撮影画像の確認に妨げになりにくい情報表示項目が残ると共に、ヘッドホンから割り当てられた情報が音声として出力される。
【００１７】
これにより表示部上の撮影画像の妨げとなる情報表示項目を削減して撮影画像の視認性を改善すると共に、削減された情報は撮影者が確認したいタイミングでヘッドホンから出力され情報量を同等にすることが可能となる。
【００１８】
又本出願に係る第二の発明はメニュー設定画面等を開かなければ確認できない未表示設定情報項目をヘッドホン出力から情報出力選択可能とする、未表示設定情報項目ヘッドホン出力設定手段と、
その設定された内容を保持するヘッドホン情報出力設定保持手段と、ヘッドホン情報設定処理を行うところのヘッドホン情報出力設定処理手段と、ヘッドホン情報出力モードへの移行手段と、ヘッドホンから情報出力する場合のヘッドホン情報出力音源データ保持手段と、ヘッドホンから情報出力するヘッドホン音声出力手段をもつことを特徴とする。
【００１９】
メニュー設定項目の中で、選択結果が未表示設定となっている情報を撮影者の希望によりヘッドホン出力に予め割り付けておき、ヘッドホン情報出力モードに移行したときメニューの設定画面を開かなくても瞬時で装置の設定情報を確認することが可能となる。
【発明の効果】
【００２０】
以上説明したように情報出力先を表示部だけではなく、撮影者の選択によりヘッドホンからの音声情報出力に任意に切替えし、必要な時に音声として情報を得られるため、情報量を同じにしながら撮影画像確認をよりやり易くすることが可能となる。
【００２１】
又、未表示設定となっている情報項目を予めセットしておき、ボタンを押すだけで設定画面を開かなくても短時間で装置の設定状態を確認することが可能となる。
【発明を実施するための最良の形態】
【００２２】
（実施例１）
図２、図３、図４は本発明の特徴をもっとも良く表す図画である。
【００２３】
図２は本発明を適用するビデオカメラ装置全体のブロック図を示したものであり、図２において２０１は光学画像を取り込むところのレンズ部、２０２は光学画像を電気信号に変換するところのＣＣＤ部、２０３はＣＣＤ部からの電気信号を処理するところのカメラ信号処理部、２０４は音を集音するところのマイク部、２０５は音声信号を処理するところのオーディオ信号処理部、２０６はビデオ信号を処理するところのビデオ信号処理部、２０７はビデオカメラ装置全体の制御を行うところのシステムコントロール部、２０８はビデオカメラ装置で信号の入出力を行うところの入出力部、２０９は記録再生処理を行うところの記録再生処理部、２１０は記録媒体にデータを記録或いは記録媒体からデータを再生するところのメカ、２１１は表示データを処理するところの表示信号処理部、２１２は表示信号処理部からのデータを表示する表示部である。
【００２４】
図３は図２のシステムに適用させた本発明を示す図であり、図３において３０１は光学画像を取り込むところのレンズ部、３０２は光学画像を電気信号に変換するところのＣＣＤ部、３０３はＣＣＤ部からの電気信号を処理するところのカメラ信号処理部、３０４はヘッドホン信号を出力するところのヘッドホン出力部、３０５はヘッドホンが接続されているかどうかを検出するところのヘッドホン接続検出部、３０６は音声信号を処理するところのオーディオ信号処理部、３０７はビデオ信号を処理するところのビデオ信号処理部、３０８はシステム全体を制御するところのシステムコントロール部、３０９は情報出力先の設定の情報を保存する情報出力先設定メモリ、３１０は情報出力先設定メモリ３０９とユーザー操作の状態により、情報出力を表示部３１２かヘッドホン出力３０４どちらから出力するのかを処理する情報出力先設定処理部、３１１はヘッドホンから情報出力する場合のアナウンス音源となるヘッドホン情報出力音源データ、３１２は撮影画像と情報を合わせて表示する表示部、３１３は表示信号を処理するところの表示信号処理部、３１４はヘッドホンから情報出力を撮影者が希望する場合操作するヘッドホン情報出力モード移行スイッチ、３１５は装置の設定を操作し切替え行うところの設定切替えスイッチである。
【００２５】
又、図４は本発明のフローチャートを示す図であり、図４において４０１は処理スタート、４０２は情報出力先選択モードかどうかの判断処理、４０３は撮影者が予め情報出力先を選択設定する情報出力先選択設定処理、４０４は情報出力先を確定させる情報出力確定処理、４０５はヘッドホン接続状態の検出、４０６はヘッドホン情報出力モードかどうかの判断処理、４０７はヘッドホン情報出力モードに移行したときの動作、４０８はヘッドホン出力モードに移行しない場合の動作である。
【００２６】
以下図３、図４に添って、本発明の動作説明をする。
【００２７】
図４は撮影者がどのようにしてヘッドホン出力に情報出力を割り当てるのかの流れを説明する図である。デフォルトは何もヘッドホン出力に割付されていないところからスタートする。
【００２８】
この時点で情報表示は総て図３中の表示部３１２に割り当てられており、仮に表示部上にＡ、Ｂ、Ｃの３つの情報表示項目を持っているとすると表示の状態は図４中４０８に示すような形になっている。
【００２９】
この状態では撮影画像はＢ、Ｃの情報表示項目により蹴られた状態になっている。
【００３０】
撮影者が情報出力先選択モードに入れると図４中の情報出力先選択モード４０２の判断がYESになり情報出力先選択設定４０３に移行する。この設定画面で撮影者は図３中の設定切替えスイッチ３１５を操作して、Ａを表示部３１２、Ｂ、Ｃをヘッドホン出力部３０４に出力可能な設定をし、図４中の情報出力先確定処理４０４に移行すると、この情報は図３中の情報出力先設定メモリ３０９で保持される。
【００３１】
次に、図３中のヘッドホン接続検出部３０５でヘッドホンの接続が検出されない場合、システムコントロール部３０８でそれを認識し、情報出力先設定処理部３１０で情報出力先を表示部３１２になるように処理をするとともに、表示信号処理部３１３を制御して撮影画像に重ねてＡ、Ｂ、Ｃの情報が表示部３１２に表示される様制御する。図４で説明すると、ヘッドホン接続検出判断４０５はＮＯとなり、デフォルト表示４０８となる。
【００３２】
逆に図３中のヘッドホン接続検出部３０５でヘッドホンの接続が検出された場合、図４中のヘッドホン情報出力モード判断４０６に移行する。ここで、図３中のヘッドホン情報出力モード移行スイッチ３１４を撮影者が押していない場合、システムコントロール部３０８は情報出力先設定処理部３１０を制御して、表示部３１２上に、ヘッドホン情報出力モード移行時にヘッドホン出力に割り当てられている情報Ｂ、Ｃの表示は出さず、Ａのみの表示を出力するように表示信号処理部３１３を制御する。図４で説明すると、ヘッドホン情報出力モード判断４０６はＮＯとなり、情報Ａのみが撮影画像と重なった４０９のような表示となる。
【００３３】
最後に図３中のヘッドホン情報出力モード移行スイッチを撮影者が押した場合、システムコントロール部３０８はそれを検出して情報出力先設定メモリ３０９が情報Ｂ、Ｃをヘッドホンに出力設定選択されていることを確認し、情報出力先設定処理部３１０の制御を経由してヘッドホン情報出力音源データ３１１の音源データ中でＢ、Ｃに相当する音声信号をオーディオ信号処理部３０６経由でヘッドホン出力部３０４に出力する。
【００３４】
図４中で説明すると、ヘッドホン情報出力モード判断４０６はＹＥＳとなり、４０７のＡのみの表示＋ヘッドホン出力からＢ、Ｃの情報を出力する。
【００３５】
（実施例２）
図５、図６は本発明の特徴をもっとも良く表す図画である。
【００３６】
図５は基本的に前記図３に近いもので、異なる部分についてのみ記載する。
【００３７】
図５中５０９は未表示項目をヘッドホン情報出力として得られる様設定した情報を保持しておくところのヘッドホン情報出力設定メモリ、５１０はヘッドホン情報出力モードに移行した場合、ヘッドホンから未表示設定情報を出力処理するところのヘッドホン情報出力設定処理部、５１１はヘッドホンからの情報出力の音源データである。
【００３８】
又、図６は撮影者がどのようにしてヘッドホン出力に未表示情報出力を割り当てるのかの流れを説明する図である。デフォルトは何もヘッドホン出力に割付されていないところからスタートする。
【００３９】
以下、図５、図６に添って本発明の説明を記す。
【００４０】
通常表示部の大きさなどの制約から、メニュー設定で選択されるような設定項目は総て表示部上には表示されていない。この未表示設定情報を図５設定切替えスイッチ５１５を操作することで、予め撮影者の好みでヘッドホン出力５０４から出力出来るよう設定する画面に移行する。
【００４１】
図６中６０２がそれに当たり、ここで未表示設定情報ヘッドホン出力設定モードに移行していない場合はＮＯに行き、未表示設定情報はメニュー設定画面を開いて確認するデフォルトの形式となる。
【００４２】
それに対しＹＥＳの場合、未表示設定情報のどの項目をヘッドホン出力に出すかを選択する画面に移行する。図３中の設定切替えスイッチ３１５を操作し、図６中６０４のようにＡ、Ｃを撮影者が選択し、６０５のヘッドホン情報出力項目が決定した場合、図５中ヘッドホン情報出力設定メモリ５０９にその設定情報が保持される。図５中のヘッドホン情報出力モード移行スイッチ５１４を撮影者が操作しない場合は、ヘッドホン情報出力設定処理部５１０は動作せず、この状態でも、図６中６０３に示すように、未表示設定情報はメニュー設定画面を開いて確認する。
【００４３】
図５中のヘッドホン情報出力モード移行スイッチ５１４を撮影者が操作した場合、システムコントロール部５０８はそれを検出してヘッドホン情報出力設定メモリ５０９に保持されている内容に従い、ヘッドホン情報出力設定処理部５１０を制御して、ヘッドホン情報出力音源データ５１１中の対応する音声データをオーディオ信号処理部５０６を経由させてヘッドホン出力部５０４に出力する。
【００４４】
図６中の６０７に示すように、撮影者が必要とする未表示設定情報のＡ、Ｃはヘッドホンから音声出力され、撮影者はスイッチを押すだけでデフォルトでは設定メニューを開かなければ確認できない未表示情報の設定項目を、記録中であっても瞬時に得ることが可能となる。
【図面の簡単な説明】
【００４５】
【図１】本発明を適用する以前の従来事例を示す図である。
【図２】本発明の第一の実施例に係るビデオカメラ装置全体の構成を示す図である。
【図３】本発明の第一の実施例に係る情報出力先選択の構成を示す図である。
【図４】本発明の第一の実施例に係る情報出力先選択のフローチャートを示す図である。
【図５】本発明の第二の実施例に係るヘッドホン情報出力選択の構成を示す図である。
【図６】本発明の第二の実施例に係るヘッドホン情報出力選択のフローチャートを示す図である。
【符号の説明】
【００４６】
１  レンズ
２  シャッタ
３  ＣＣＤ
４  アンプ
５  Ａ/Ｄ
６  フレームメモリ
７  液晶モニタ
８  画像処理回路
９  ＬＣＤドライバ
１０  露出制御回路
１１  レンズ駆動回路
１２  ＣＣＤ駆動回路
１３  システムコントロール回路
１４  露出検出器
１５  撮影情報メモリ
１６  記録制御回路
１７  メモリカード
１８  モードダイアルスイッチ
１９  レリーズ操作検出スイッチ
２０  ズームスイッチ
２１  設定スイッチ
２０１  レンズ部
２０２  ＣＣＤ部
２０３  カメラ信号処理部
２０４  マイク部
２０５  オーディオ信号処理部
２０６  ビデオ信号処理部
２０７  システムコントロール部
２０８  入出力部
２０９  記録再生処理部
２１０  メカ
２１１  表示信号処理部
２１２  表示部
３０１  レンズ部
３０２  ＣＣＤ部
３０３  カメラ信号処理部
３０４  ヘッドホン出力部
３０５  ヘッドホン接続検出部
３０６  オーディオ信号処理部
３０７  ビデオ信号処理部
３０８  システムコントロール部
３０９  情報出力先設定メモリ
３１０  情報出力先設定処理部
３１１  ヘッドホン情報出力音源データ
３１２  表示部
３１３  表示信号処理部
３１４  ヘッドホン情報出力モード移行スイッチ
３１５  設定切替えスイッチ
４０１  スタート
４０２  情報出力先選択モード判断
４０３  情報出力先選択設定
４０４  情報出力先確定
４０５  ヘッドホン接続検出判断
４０６  ヘッドホン情報出力モード判断
４０７  通常表示
４０８  ヘッドホン情報出力モード時表示
４０９  ヘッドホン情報出力可能設定でヘッドホン情報出力モード移行スイッチが押されていない場合の表示
５０１  レンズ部
５０２  ＣＣＤ部
５０３  カメラ信号処理部
５０４  ヘッドホン出力部
５０５  ヘッドホン接続検出部
５０６  オーディオ信号処理部
５０７  ビデオ信号処理部
５０８  システムコントロール部
５０９  ヘッドホン情報出力設定メモリ
５１０  ヘッドホン情報出力設定処理部
５１１  ヘッドホン情報出力音源データ  
５１２  表示部
５１３  表示信号処理部
５１４  ヘッドホン情報出力モード移行スイッチ
５１５  設定切替えスイッチ
６０１  スタート
６０２  未表示設定情報ヘッドホン出力設定モード判断
６０３  ヘッドホン情報出力未設定/未表示設定情報ヘッドホン出力モード非移行時の確認方法
６０４  ヘッドホン情報出力設定
６０５  ヘッドホン情報出力項目確定
６０６  未表示設定情報ヘッドホン出力モード移行判断
６０７  未表示設定情報ヘッドホン出力状態
【図１】
2008085814.tif 000003
【図２】
2008085814.tif 000004
【図３】
2008085814.tif 000005
【図４】
2008085814.tif 000006
【図５】
2008085814.tif 000007
【図６】
2008085814.tif 000008